(57)【要約】【課題】照明する範囲を変更することが可能でありながら、レンズ保持体のガタツキが生じにくい照明装置を提供する。【解決手段】相対的に移動可能な第１円筒部材６及び第２円筒部材７の各々に照明本体２とレンズ保持体３とが連結されており、レンズ保持体３に固定される第２円筒部材７には、円筒の軸方向に対して斜めに延びるガイド穴２１と、第１円筒部材挿入側の開口に向いてガイド穴２１と同じ傾斜で延びるガイド面２２とが設けられ、照明本体２に固定される第１円筒部材６には、ガイド穴２１に挿通されるピン３１を係止する係止部１１と、壁面部２２の一部と当接する支持部１２とが設けられる。ガイド穴２１と係止部１１（及びピン３１）で構成された２つの第１ガイド構造と、ガイド面２２と支持部１２で構成された２つの第２ガイド構造とが、円筒の周方向の異なる位置にそれぞれ配置してある。【選択図】図１
2018073772.tif 000002
【特許請求の範囲】
【請求項１】
光源を保持する照明本体と、レンズを保持するレンズ保持体とを備えた照明装置において、
相対的に移動可能な２つの円筒部材の各々に該照明本体と該レンズ保持体とが連結されており、
前記２つの円筒部材は、
いずれか一方の円筒部材に設けられた、円筒の軸方向に対して斜めに延びるガイド穴と、他方の円筒部材に設けられた、該ガイド穴に挿通されるピンを係止する係止部とを有する第１構造と、
いずれか一方の円筒部材に設けられた、該円筒部材のいずれか一方の開口に向いて該ガイド穴と同じ傾斜で延びるガイド面と、他方の円筒部材に設けられた、該ガイド面の一部と当接する支持部とを有する第２構造とを備え、
少なくとも２つの該第１構造と、少なくとも１つの該第２構造とを、円筒の周方向の異なる位置に有することを特徴とする照明装置。
【請求項２】
請求項１に記載の照明装置において、
前記２つの円筒部材のうちのいずれか一方は、外壁と、内壁と、該外壁と該内壁とを連結する連結部とで断面コ字状に形成されており、他方の円筒部材の周壁を該外壁と該内壁とで挟み込むようにして該他方の円筒部材と嵌め合わされることを特徴とする照明装置。
【請求項３】
請求項２に記載の照明装置において、
前記断面コ字状の円筒部材の該外壁に該ガイド穴が設けられ、該内壁に該ガイド面が設けられることを特徴とする照明装置。
【発明の詳細な説明】
【技術分野】
【０００１】
本発明は、照明する範囲を変更することが可能な照明装置にする。
【背景技術】
【０００２】
従来、ＬＥＤ（Light Emitting Diode）等を光源に用いた照明装置が実用に供されている。
例えば、特許文献１には、円筒状の本体と、この本体の底面に取り付けられたＬＥＤ光源部と、レンズ保持体（レンズ焦点距離調整用の円筒状の回転体）と、レンズ保持体に保持されたレンズとを備えた照明装置が開示されている。より具体的には、本体は、断面円形状（円柱状）の開口部を有し、この開口部に、斜め方向に延びるガイド穴が形成されている。レンズ保持体は、レンズを保持した状態で本体の開口部に挿入され、本体に設けられたガイド穴を通してガイドピンにより固定される。レンズ保持体を本体に対して回転させると、ガイド穴及びガイドピンによってレンズ保持体がその軸方向に移動する。これにより、ＬＥＤ光源とレンズとの距離が変化するので、レンズ保持体を回転させるだけで照明の範囲を変更できる仕組みになっている。
【先行技術文献】
【特許文献】
【０００３】
【特許文献１】特開２０１２−２２１７６９号公報
【発明の概要】
【発明が解決しようとする課題】
【０００４】
特許文献１の照明装置では、本体の開口部及びレンズ保持体には、その中心軸に対して点対称に２つのガイド穴及び２つのガイドピンを設けてある。このような構造だと、レンズ保持体を本体の開口部に対して２つのガイドピンで留めるだけなので、レンズ保持体のガタツキが生じやすく、使用者に不安感を抱かせてしまう懸念がある。
【０００５】
本発明は、上記のような従来の事情に鑑みて為されたものであり、照明する範囲を変更することが可能でありながら、レンズ保持体のガタツキが生じにくい照明装置を提供することを目的とする。
【課題を解決するための手段】
【０００６】
上記目的を達成するために、本発明に係る照明装置を以下のように構成した。
すなわち、光源を保持する照明本体と、レンズを保持するレンズ保持体とを備えた照明装置において、相対的に移動可能な２つの円筒部材の各々に該照明本体と該レンズ保持体とが連結されており、前記２つの円筒部材は、いずれか一方の円筒部材に設けられた、円筒の軸方向に対して斜めに延びるガイド穴と、他方の円筒部材に設けられた、該ガイド穴に挿通されるピンを係止する係止部とを有する第１構造と、いずれか一方の円筒部材に設けられた、該円筒部材のいずれか一方の開口に向いて該ガイド穴と同じ傾斜で延びるガイド面と、他方の円筒部材に設けられた、該ガイド面の一部と当接する支持部とを有する第２構造とを備え、少なくとも２つの該第１構造と、少なくとも１つの該第２構造とを、円筒の周方向の異なる位置に有することを特徴とする。
【０００７】
ここで、一構成例として、前記２つの円筒部材のうちのいずれか一方は、外壁と、内壁と、該外壁と該内壁とを連結する連結部とで断面コ字状に形成されており、他方の円筒部材の周壁を該外壁と該内壁とで挟み込むようにして該他方の円筒部材と嵌め合わされる構成としてもよい。
また、前記断面コ字状の円筒部材の該外壁に該ガイド穴が設けられ、該内壁に該ガイド面が設けられる構成としてもよい。
【発明の効果】
【０００８】
本発明によれば、照明する範囲を変更することが可能でありながら、レンズ保持体のガタツキが生じにくい照明装置を提供することができる。
【図面の簡単な説明】
【０００９】
【図１】本発明の一実施形態に係る照明装置の分解斜視図である。
【図２】図１の照明装置の平面図、側面図、Ａ−Ａ断面図及びＢ−Ｂ断面図である。
【図３】図１の照明装置に係る第１円筒部材の平面図、正面図及び底面図である。
【図４】図１の照明装置に係る第２円筒部材の平面図、正面図、側面図、Ａ−Ａ断面図及びＢ−Ｂ断面図である。
【図５】図１の照明装置に係る第１円筒部材に対する第２円筒部材の回転移動の様子を示す正面図及び断面図である。
【発明を実施するための形態】
【００１０】
本発明の一実施形態について、図面を参照して説明する。
図１は、本発明の一実施形態に係る照明装置１の分解斜視図である。図２は、照明装置１の平面図、側面図、Ａ−Ａ断面図及びＢ−Ｂ断面図である。図３は、照明装置１に係る第１調整リングの平面図、正面図及び底面図である。図４は、照明装置１に係る第２調整リングの平面図、正面図、側面図、Ａ−Ａ断面図及びＢ−Ｂ断面図である。
【００１１】
照明装置１は、光源４を保持する照明本体２と、レンズ５を保持する円筒状のレンズ保持体３と、照明本体２とレンズ保持体３とを連結する第１円筒部材６及び第２円筒部材７とを備えている。なお、本例の照明装置１は、光源４としてＬＥＤ光源を用いたＬＥＤ照明装置であるが、他の種類の光源を用いてもよい。また、レンズ５として複数焦点のレンズを用いるが、単焦点のレンズを用いてもよい。
【００１２】
第１円筒部材６は、円筒内部に光源４を収容するような配置で照明本体２に固定される。第２円筒部材７は、レンズ保持体３のレンズ５とは反対側の開口部に固定される。
第１円筒部材６及び第２円筒部材７は、互いに相対的に移動可能に嵌め合わされ、各々に照明本体２とレンズ保持体３とが連結される。
【００１３】
図４に示すように、レンズ保持体３に固定される第２円筒部材７には、円筒の軸方向に対して斜めに延びるガイド穴２１と、第１円筒部材挿入側の開口に向いてガイド穴２１と同じ傾斜で延びるガイド面２２とが設けられる。
本例では、第２円筒部材７を周方向に４つの範囲に均等に区分して、ガイド穴２１とガイド面２２が交互になるように、各範囲にガイド穴２１又はガイド面２２を１つずつ設けてある。すなわち、２つのガイド穴２１を円周状の対向し合う位置に設けると共に、これら２つのガイド穴２１の間に、２つのガイド面２２を円周状の対向し合う位置に設けてある。
【００１４】
また、図３に示すように、照明本体２に固定される第１円筒部材６には、ガイド穴２１に挿通されるピン３１を係止する係止部１１と、ガイド面２２の一部と当接する支持部１２とが設けられる。
本例では、第２円筒部材７に設けた２つのガイド穴２１及び２つのガイド面２２の配置に対応するように、２つの係止部１１と２つの支持部１２を設けてある。すなわち、２つの係止部１１を円周上の対向し合う配置で設けると共に、これら２つの係止部１１の間に、２つの支持部１２を円周上の対向し合う配置で設けてある。
【００１５】
第２円筒部材７の周壁は、外壁２３と、内壁２４と、外壁２３と内壁２４とを連結する連結部２５とで断面コ字状に形成されている。第２円筒部材７は、第１円筒部材６の周壁を外壁２３と内壁２４とで挟み込むようにして第１円筒部材６と嵌め合わされる。
第２円筒部材７には、外壁２３にガイド穴２１を設けてあり、内壁２４にガイド面２２を設けてある。本例では、内壁２４の第１円筒部材挿入側の開口部をガイド穴２１と同じ傾斜でカットしてあり、該カットされた開口部端面をガイド面２２として用いている。
また、第１円筒部材６には、ガイド穴２１が形成された外壁２３に対向する側の周面（外側の面）に係止部１１を設けてあり、ガイド面２２が形成された内壁２４に対向する側の面（内側の面）に支持部１２を設けてある。
【００１６】
このような構造の第１円筒部材６及び第２円筒部材７を互いに嵌め合わせ、ガイド穴２１にピン３１を挿通してピン留め（係止部１１に係止）することで、第１円筒部材６と第２円筒部材７とが相対的に移動可能に連結される。また、第１円筒部材６に対する第２円筒部材７の移動は、ガイド穴２１と係止部１１（及びピン３１）で構成された第１ガイド構造と、ガイド面２２と支持部１２で構成された第２ガイド構造とで規定される範囲内に制限される。すなわち、第１ガイド構造及び第２ガイド構造は、第１円筒部材６に対する第２円筒部材７の移動をガイドすると共に規制する役割を持つ。
【００１７】
図５には、第１円筒部材６に対する第２円筒部材７の回転移動の様子を示してある。
［状態１］は、第１円筒部材６を第２円筒部材７に最も深く嵌めた状態であり、［状態３］は、第１円筒部材６を第２円筒部材７に最も浅く嵌めた状態であり、［状態２］は、これらの中間の状態である。
【００１８】
第１円筒部材６を第２円筒部材７に最も深く嵌めた状態では、［状態１］に示すように、ガイド穴２１の一番奥にピン３１が位置すると共に、ガイド面２２の一番奥に支持部１２が当接する。この状態から第２円筒部材７を回転させると、ガイド穴２１及びガイド面２２によるガイドに従ってピン３１及び支持部１２が移動していき、これに伴って第２円筒部材７の嵌り具合が次第に浅くなり、［状態２］に示す状態へと移行する。そこから更に第２円筒部材７を回転させると、［状態３］に示すように、ガイド穴２１の一番手前にピン３１が位置すると共に、ガイド面２２の一番手前に支持部１２が当接し、これ以上の回転は規制される。その後、これとは逆に回転させることで、［状態３］から［状態２］を経由して［状態１］へと戻る。
このように、第２円筒部材７を第１円筒部材６に対して回転させることで、第２円筒部材７に対する第１円筒部材６の嵌り具合を浅くしたり深くしたりすることができる。
【００１９】
本例の照明装置１は、このような第１円筒部材６及び第２円筒部材７の各々に照明本体２とレンズ保持体３とを連結させた構造なので、レンズ保持体３を照明本体２に対して回転させることで、レンズ保持体３に保持されたレンズ５を照明本体２に保持された光源４に近づけたり遠ざけたりすることができる。すなわち、レンズ保持体３の回転により光源４とレンズ５との間の距離を任意に変化させて、照明範囲を拡げたり絞ったり変更することが可能となる。
【００２０】
また、本例の照明装置１は、ガイド穴２１と係止部１１（及びピン３１）で構成された２つの第１ガイド構造と、ガイド面２２と支持部１２で構成された２つの第２ガイド構造とを、円筒の周方向の異なる位置にそれぞれ配置してある。すなわち、第１円筒部材６と第２円筒部材７の回転移動を四箇所で支持する四点支持構造であるため、照明本体２に対するレンズ保持体３のガタツキが生じにくい。
【００２１】
また、本例の照明装置１では、第２円筒部材７の外壁２３と内壁２４で第１円筒部材６の周壁を挟み込むようにして第１円筒部材６と第２円筒部材７が嵌め合わされるので、レンズ保持体３の回転により照明範囲を変更可能な構成でありながら、第１円筒部材６内に収容される光源４からの光が第２円筒部材７の外部に漏れにくい。
【００２２】
照明装置１の組み立て方について、図１を参照して説明する。
まず、照明本体２に、円筒内部に光源４が収容される配置で第１円筒部材６を取り付けて固定される。なお、照明本体２に対する光源４の取り付けは、第１円筒部材６の取り付け前に行った方がその後の作業を容易に行えるので好ましいが、第１円筒部材６の取り付け後に行っても構わない。
【００２３】
次に、第２円筒部材７を第１円筒部材６に嵌め合わせる。このとき、第２円筒部材７のガイド穴２１から第１円筒部材６の係止部１１が覗き、また、第２円筒部材７のガイド面２２の一部に第１円筒部材６の支持部１２が当接するように位置合わせして、嵌め合わせる。そして、ピン３１をガイド穴２１に挿通し、係止部１１に係止する。これにより、第１円筒部材６と第２円筒部材７とが互いに相対的に移動可能に連結される。
【００２４】
その後、レンズ保持体３を第２円筒部材７に嵌めてピン３２，３３等で固定し、レンズ保持体３にレンズ５を取り付けて固定する。レンズ５は、種々の手法でレンズ保持体３に固定することができ、例えばＯリングを用いて固定することができる。
以上のように、本例の照明装置１は、照明本体２側から各部材を順に取り付けていくだけで組み立て可能な構造となっており、照明装置１の製造を簡易に行うことができる。
【００２５】
以上、本発明に係る照明装置について一例を挙げて説明したが、本発明は上記のような構成に限定されない。
例えば、ガイド面２２等で構成された第２ガイド構造を減らして１つにしてもよい。すなわち、第１円筒部材６と第２円筒部材７の回転移動を２つの第１構造及び１つの第２構造により三箇所で支持する三点支持構造としても、照明本体２に対するレンズ保持体３のガタツキを抑えることができる。なお、第１ガイド構造を１つに減らすことも考えられるが、第１円筒部材６と第２円筒部材７とが離れる方向の力に対する支持が弱くなるため、第１ガイド構造は少なくとも２つ以上とすることが好ましい。また、第１ガイド構造及び第２ガイド構造をそれぞれ３つ以上としてもよいが、第１円筒部材６及び第２円筒部材７の形状が複雑化して製造コストの増加が懸念されるので、あまり多くし過ぎない方が好ましい。
【００２６】
また、上記の例では、第１円筒部材６を照明本体２に固定し、第２円筒部材７をレンズ保持体３に固定しているが、これらを逆に固定してもよい。すなわち、第２円筒部材７を照明本体２に固定し、第１円筒部材６をレンズ保持体３に固定してもよい。
【００２７】
また、上記の例では、第２円筒部材７の外壁２３にガイド穴２１を設け、第２円筒部材７の内壁２４にガイド面２２を設けてあるが、これらを逆に設けてもよい。あるいは、外壁２３又は内壁２４のいずれかに、ガイド穴２１とガイド面２２の両方を設けてもよい。第１円筒部材６には、第２円筒部材７に設けたガイド穴２１及びガイド面２２に対向する側の面に、係止部１１及び支持部１２を設ければよい。
【００２８】
また、上記の例では、第２円筒部材７の周壁（より具体的には内壁２４）における第１円筒部材挿入側の開口部端面をガイド面２２として用いているが、第２円筒部材７の周壁（外壁２３又は内壁２４）からガイド穴２１と同じ傾斜で突き出た突出部を設け、該突出部における円筒部材挿入側の面（壁面）をガイド面２２として用いてもよい。
【００２９】
また、上記の例では、第１ガイド構造及び第２ガイド構造を互いに均等な間隔で円周上に設けてあるが、これらの間隔は均等でなくともよく、照明本体２に対するレンズ保持体３のガタツキを抑えることができればよい。
【産業上の利用可能性】
【００３０】
本発明は、照明する範囲を変更することが可能な種々の形式の照明装置に利用することができる。
【符号の説明】
【００３１】
１：照明装置
２：照明本体
３：レンズ保持体
４：光源
５：レンズ
６：第１円筒部材
７：第２円筒部材
１１：係止部
１２：支持部
２１：ガイド穴
２２：ガイド面
２３：外壁
２４：内壁
２５：連結部
３１，３２，３３：ピン
【図１】
2018073772.tif 000003
【図２】
2018073772.tif 000004
【図３】
2018073772.tif 000005
【図４】
2018073772.tif 000006
【図５】
2018073772.tif 000007